(57)【要約】【課題】通信装置が有する機能の設定のし忘れを低減することができる通信装置、通信システムおよび機能設定方法を提供する。【解決手段】通信先装置ｂとの通信機能を停止可能な通信装置ａは、通信機能を停止する旨の停止情報を受け付ける受付部Ａ１と、受付部Ａ１にて受け付けられた停止情報を通信先装置ｂに送信するメール送信部ａ３と、メール送信部ａ３から停止情報が通信先装置ｂに送信された後、メール送信部ａ３の動作を停止する設定部Ａ２と、を含む。【選択図】図１
2011151585.tif 000002
【特許請求の範囲】
【請求項１】
通信先装置との通信機能を停止可能な通信装置であって、
前記通信機能を停止する旨の停止情報を受け付ける受付手段と、
前記受付手段にて受け付けられた停止情報を前記通信先装置に送信する送信手段と、
前記送信手段から前記停止情報が前記通信先装置に送信された後、前記送信手段の動作を停止する設定手段と、を含む通信装置。
【請求項２】
請求項１に記載の通信装置において、
前記設定手段は、前記送信手段から送信された停止情報を受信した前記通信先装置から送信される応答情報を受信し、前記応答情報を受信すると、前記送信手段の動作を停止する、通信装置。
【請求項３】
請求項２に記載の通信装置において、
前記設定手段にて前記応答情報が受信されると、前記通信先装置の通信機能が停止状態である旨を表示する表示手段をさらに含む通信装置。
【請求項４】
請求項１から３のいずれか１項に記載の通信装置において、
前記受付手段は、前記通信機能とは異なる所定機能を設定または解除する旨の処理情報を受け付け、
前記設定手段は、前記所定機能を設定または解除可能であり、前記受付手段にて前記処理情報が受け付けられると、前記処理情報に応じて前記所定機能を設定または解除し、
前記送信手段は、前記設定手段が前記所定機能を設定または解除すると、前記処理情報を前記通信先装置に送信する、通信装置。
【請求項５】
請求項１から４のいずれか１項に記載の通信装置において、
前記設定手段は、前記通信先装置から送信された前記停止情報を受信し、前記停止情報を受信すると、前記送信手段の動作を停止する、通信装置。
【請求項６】
請求項３に記載の通信装置において、
前記設定手段は、前記通信先装置から送信された前記停止情報を受信し、
前記表示手段は、前記設定手段が前記停止情報を受信すると、前記通信先装置の通信機能が停止状態である旨を表示する、通信装置。
【請求項７】
請求項３に記載の通信装置において、
前記設定手段は、前記通信先装置から送信された、前記通信機能とは異なる所定機能を設定または解除する旨の処理情報を受信し、
前記表示手段は、前記設定手段にて受信された処理情報に基づいて、前記通信先装置の所定機能の設定状態または解除状態を表示する、通信装置。
【請求項８】
通信先装置と、前記通信先装置との通信機能を停止可能な通信装置と、を含む通信システムであって、
前記通信装置は、
前記通信機能を停止する旨の停止情報を受け付ける受付手段と、
前記受付手段にて受け付けられた停止情報を前記通信先装置に送信する送信手段と、
前記送信手段から前記停止情報が前記通信先装置に送信された後、前記送信手段の動作を停止する設定手段と、を含み、
前記通信先装置は、
前記通信装置から送信された停止情報を受信する受信手段と、
前記受信手段の動作を停止する設定手段と、を含む、通信システム。
【請求項９】
通信先装置との通信機能を停止可能な通信装置の機能設定方法であって、
前記通信機能を停止する旨の停止情報を受け付ける受付ステップと、
前記受付ステップにて受け付けられた停止情報を前記通信先装置に送信する送信ステップと、
前記送信ステップにて前記停止情報が前記通信先装置に送信された後、前記送信ステップの処理を停止する設定ステップと、を含む機能設定方法。
【請求項１０】
通信先装置と、前記通信先装置との通信機能を停止可能な通信装置と、を含む通信システムの機能設定方法であって、
前記通信装置が、前記通信機能を停止する旨の停止情報を受け付ける受付ステップと、
前記通信装置が、前記受付ステップにて受け付けられた停止情報を前記通信先装置に送信する送信ステップと、
前記通信装置が、前記送信ステップにて前記停止情報が前記通信先装置に送信された後、前記送信ステップの処理を停止する設定ステップと、
前記通信先装置が、前記通信装置から送信された停止情報を受信する受信ステップと、
前記通信先装置が、前記受信ステップの処理を停止する設定ステップと、を含む、機能設定方法。
【発明の詳細な説明】
【技術分野】
【０００１】
本発明は、通信装置、通信システムおよび機能設定方法に関する。
【背景技術】
【０００２】
携帯電話の普及に伴い、複数台の携帯電話を所持する利用者が多くなっている。携帯電話には、携帯電話が有する機能の一部を制限する機能が付与されている。例えば、着信音が迷惑になるような場所では、着信音の発生を制限する機能としてマナーモードが有効であり、電波が影響を及ぼすおそれのある病院等では、電波の送受信を制限する機能として電波ＯＦＦモードや電源ＯＦＦが有効である。
【０００３】
複数台の携帯電話を所持する利用者にとっては、複数台の携帯電話に対し、個別に機能を設定するのは、面倒であり、設定のし忘れも起こり易い。
【０００４】
複数の携帯電話の機能を容易に設定するための技術として、特許文献１に、利用者によって設定された特定の機能と同一の機能を、他の通信装置にも設定する通信装置が記載されている。
【０００５】
特許文献１に記載の技術では、通信元装置は、利用者の操作に基づいて特定の機能が設定され、その設定された機能に関する操作情報を通信先装置に出力する。通信先装置は、通信元装置から操作情報を受け付けると、その操作情報に基づいて機能を設定する。
【先行技術文献】
【特許文献】
【０００６】
【特許文献１】特開２００２−２１８０５１号公報（図４）
【発明の概要】
【発明が解決しようとする課題】
【０００７】
特許文献１に記載の技術では、操作情報を出力する機能を制限する機能が、通信元装置に設定されると、通信元装置から通信先装置に対し操作情報が出力されなくなるため、通信先装置には、通信元装置と同一の機能が設定されなくなってしまう。
【０００８】
したがって、複数の携帯電話に対し同一の機能を設定するような場合には、使用者による機能設定のし忘れが起こり易くなってしまうという課題があった。
【０００９】
本発明の目的は、上記した課題を解決する通信装置、通信システムおよび機能設定方法を提供することにある。
【課題を解決するための手段】
【００１０】
本発明の通信装置は、通信先装置との通信機能を停止可能な通信装置であって、前記通信機能を停止する旨の停止情報を受け付ける受付手段と、前記受付手段にて受け付けられた停止情報を前記通信先装置に送信する送信手段と、前記送信手段から前記停止情報が前記通信先装置に送信された後、前記送信手段の動作を停止する設定手段と、を含む。
【００１１】
本発明の通信システムは、通信先装置と、前記通信先装置との通信機能を停止可能な通信装置と、を含む通信システムであって、前記通信装置は、前記通信機能を停止する旨の停止情報を受け付ける受付手段と、前記受付手段にて受け付けられた停止情報を前記通信先装置に送信する送信手段と、前記送信手段から前記停止情報が前記通信先装置に送信された後、前記送信手段の動作を停止する設定手段と、を含み、前記通信先装置は、前記通信装置から送信された停止情報を受信する受信手段と、前記受信手段の動作を停止する設定手段と、を含む。
【００１２】
本発明の機能設定方法は、通信先装置との通信機能を停止可能な通信装置の機能設定方法であって、前記通信機能を停止する旨の停止情報を受け付ける受付ステップと、前記受付ステップにて受け付けられた停止情報を前記通信先装置に送信する送信ステップと、前記送信ステップにて前記停止情報が前記通信先装置に送信された後、前記送信ステップの処理を停止する設定ステップと、を含む。
【００１３】
本発明の機能設定方法は、通信先装置と、前記通信先装置との通信機能を停止可能な通信装置と、を含む通信システムの機能設定方法であって、前記通信装置が、前記通信機能を停止する旨の停止情報を受け付ける受付ステップと、前記通信装置が、前記受付ステップにて受け付けられた停止情報を前記通信先装置に送信する送信ステップと、前記通信装置が、前記送信ステップにて前記停止情報が前記通信先装置に送信された後、前記送信ステップの処理を停止する設定ステップと、前記通信先装置が、前記通信装置から送信された停止情報を受信する受信ステップと、前記通信先装置が、前記受信ステップの処理を停止する設定ステップと、を含む。
【発明の効果】
【００１４】
本発明によれば、通信装置が有する機能の設定のし忘れを低減することが可能になる。
【図面の簡単な説明】
【００１５】
【図１】本発明の一実施形態における通信システムの構成例を示すブロック図である。
【図２】情報保持部ａ９に保持されている連携情報の一例を示す図である。
【図３】状態表示部ａ８によって表示される状態情報の表示例を示す図である。
【図４】動作判定部ａ６の構成例を示す図である。
【図５】「マナーモードＯＮ」の機能制限ボタンが押下された場合における携帯電話ａから送信されるモード連携メールｃ１の形式例を示す図である。
【図６】携帯電話ｂから、図５に示したモード連携メールｃ１に対して送信されるモード応答メールｃ２の形式例を示す図である。
【図７】携帯電話ａにて受け付けられた機能情報に基づいて、携帯電話ａおよびｂが機能情報の示す機能を設定または解除する場合における通信システムの動作概要を示すシーケンスチャートである。
【図８】ボタン押下処理ｓ１の処理手順例を示すフローチャートである。
【図９】メール判定処理ｓ２またはｓ４の処理手順例を示すフローチャートである。
【図１０】モード連携処理ｓ３の処理手順例を示すフローチャートである。
【図１１】モード応答処理ｓ５の処理手順例を示すフローチャートである。
【図１２】連携先携帯電話との通信機能が停止されない機能としてマナーモードが設定され場合における携帯電話ａと携帯電話ｂとの連携動作を示すタイミングチャートである。
【図１３】連携先携帯電話との通信機能が停止される機能として電波ＯＦＦが設定される場合における携帯電話ａと携帯電話ｂとの連携動作を示すタイミングチャートである。
【図１４】携帯電話ａが、携帯電話ｂおよびｃと機能設定の連携を行う場合における状態表示部ａ８の表示例を示す図である。
【図１５】携帯電話ａが、携帯電話ｂおよびｃと機能設定の連携を行う場合における情報保持部ａ９の連携情報の一例を示す図である。
【図１６】携帯電話ａが、携帯電話ｂおよびｃと機能設定の連携を行う場合における携帯電話ａ、ｂおよびｃの動作の概要を示すシーケンスチャートである。
【図１７】モード連携処理ｓ６の処理手順例を示すフローチャートである。
【図１８】モード応答処理ｓ７の処理手順例を示すフローチャートである。
【図１９】マナーモードが設定される場合における携帯電話ａ、ｂおよびｃの連携動作を示すタイミングチャートである。
【図２０】電波ＯＦＦが設定される場合における携帯電話ａ、ｂおよびｃの連携動作を示すタイミングチャートである。
【発明を実施するための形態】
【００１６】
以下、本発明の一実施形態について図面を参照して説明する。
【００１７】
図１は、本発明の実施形態における通信システムの構成を示すブロック図である。
【００１８】
通信システムは、使用者の操作によって各種機能を設定する旨の機能情報を受け付ける携帯電話ａと、携帯電話ａからの機能情報に基づいて、携帯電話ａに設定される機能と同一の機能を設定する携帯電話ｂと、を備えている。すなわち、通信システムは、携帯電話ａと、携帯電話ａと機能設定の連携が可能な通信先装置である携帯電話ｂと、を備えている。
【００１９】
携帯電話ａおよび携帯電話ｂは、一般的に通信装置または通信先装置と呼ぶことができる。携帯電話ａおよび携帯電話ｂの各々は、他の携帯電話と通信を行うための通信機能を停止可能な携帯電話ある。
【００２０】
本実施形態では、携帯電話ａは、使用者の操作によって受け付けた機能情報を、モード連携メールｃ１として携帯電話ｂに送信する。また、携帯電話ａは、モード連携メールに応答するための応答情報として、携帯電話ｂから送信されるモード応答メールｃ２を受信する。また、携帯電話ａは、機能情報に示される機能を設定または解除する。
【００２１】
携帯電話ｂは、機能情報として、携帯電話ａから送信されたモード連携メールを受信すると、その機能情報に示される機能を設定または解除する。また、携帯電話ｂは、モード応答メールを応答情報として携帯電話ａに送信する。
【００２２】
本実施形態では、携帯電話ａおよび携帯電話ｂは、互いに同様の構成をとるため、携帯電話ａの構成についてのみ説明する。
【００２３】
携帯電話ａは、受付部Ａ１と、設定部Ａ２と、メール送信部ａ３と、状態表示部ａ８と、を備える。受付部Ａ１は、モード設定ボタンａ１と連携判定部ａ２とを備える。設定部Ａ２は、モード設定部ａ４と、メール受信部ａ５と、動作判定部ａ６と、メール応答部ａ７と、情報保持部ａ９と、を備える。
【００２４】
情報保持部ａ９は、携帯電話ａと連携可能な携帯電話（以下「連携先携帯電話」と称する。）の識別情報ごとに、機能設定の連携を行うか否かを示す連携状態と、連携先携帯電話のメールアドレスを示す連携先メールアドレスと、連携先携帯電話の所定機能の設定状態または解除状態を示す状態情報と、を互いに関連付けて連携情報として保持する。
【００２５】
図２は、情報保持部ａ９に保持されている連携情報の一例を示す図である。
【００２６】
識別名ａ９１には、携帯電話ａと連携可能な連携先携帯電話として、携帯電話ｂの識別名が保持されている。
【００２７】
連携状態ａ９２には、連携先携帯電話の連携状態が、「ＯＮ」または「ＯＦＦ」により示され、本実施形態では、機能設定の連携を行う旨を示す「ＯＮ」の連携状態が示されている。
【００２８】
連携先メールアドレスａ９３には、連携先携帯電話のメールアドレスが保持されている。
【００２９】
連携先モードには、連携先携帯電話の機能の動作状態として設定状態または解除状態を示す状態情報が保持されている。本実施形態では、状態情報として、連携先携帯電話の電源状態を示す電源状態ａ９４と、連携先携帯電話の電波状態を示す電波状態ａ９５と、連携先携帯電話のマナーモードの動作状態を示すマナー状態ａ９６と、が連携先モードに設けられている。
【００３０】
図１に戻り、受付部Ａ１は、一般的に受付手段と呼ぶことができる。
【００３１】
受付部Ａ１は、使用者の操作によって、他の携帯電話と通信を行うための通信機能を停止する旨の停止情報を受け付ける。また、受付部Ａ１は、通信機能とは異なる所定機能を設定または解除する旨の処理情報をさらに受け付ける。
【００３２】
なお、携帯電話ａおよびｂは、通信機能が停止されることにより、メール送信部ａ３またはメール受信部ａ５の動作が停止するため、メールの送受信を行うことができなくなる。
【００３３】
モード設定ボタンａ１は、携帯電話ａが有する各種機能を設定または解除する旨の機能情報を生成する。この機能情報は、停止情報および処理情報を含む。
【００３４】
モード設定ボタンａ１は、各種機能を設定または解除するための設定ボタンとして、「マナーモードＯＮ」、「マナーモードＯＦＦ」、「電源ＯＮ」、「電源ＯＦＦ」、「電波ＯＦＦ」や「電波ＯＮ」などの複数のボタンを有する。複数の設定ボタンは、特定の機能を制限する制限機能を設定するための機能制限ボタンと、機能制限ボタンによって制限された機能制限を解除するための制限解除ボタンと、に大別される。
【００３５】
機能制限ボタンとしては、「マナーモードＯＮ」、「電源ＯＦＦ」や「電波ＯＦＦ」などが該当する。機能制限ボタンのうち、「電源ＯＦＦ」および「電波ＯＦＦ」の設定ボタンは、通信機能が停止される通信停止ボタンである。また、制限解除ボタンとしては、「マナーモードＯＦＦ」、「電源ＯＮ」や「電波ＯＮ」などが該当する。
【００３６】
モード設定ボタンａ１は、使用者によって各設定ボタンが押下されると、各設定ボタンに対応する機能を実行するための機能情報を生成する。本実施形態では、モード設定ボタンａ１は、機能制限ボタンが押下されると、機能情報として、設定情報を生成する。また、モード設定ボタンａ１は、機能制限ボタンのうち通信停止ボタンが押下されると、設定情報として、通信機能を停止する旨の停止情報を生成する。
【００３７】
また、モード設定ボタンａ１は、制限解除ボタンが押下されると、機能情報として、解除情報を生成する。また、モード設定ボタンａ１は、その機能情報を、連携判定部ａ２に出力する。
【００３８】
連携判定部ａ２は、モード設定ボタンａ１から機能情報を受け付けると、ボタン押下処理として、その機能情報が、解除情報であるか否かを判定する。連携判定部ａ２は、機能情報が、解除情報であると判定すると、その解除情報を、モード設定部ａ４に供給する。
【００３９】
また、連携判定部ａ２は、モード設定ボタンａ１から機能情報を受け付けると、モード連携処理を行う。本実施形態では、連携判定部ａ２は、機能情報が解除情報である場合には、モード設定部ａ４に解除情報を供給した後、その解除情報に基づいて、モード連携処理を行う。一方、連携判定部ａ２は、機能情報が解除情報でない場合には、その機能情報をモード設定部ａ４に供給することなく、モード連携処理を行う。
【００４０】
モード連携処理において、連携判定部ａ２は、情報保持部ａ９を参照して、携帯電話ｂの連携状態がＯＮまたはＯＦＦのいずれであるかを判断する。連携判定部ａ２は、連携状態がＯＦＦである場合には、モード設定部ａ４に機能情報を供給する。
【００４１】
一方、連携判定部ａ２は、連携状態がＯＮである場合には、情報保持部ａ９を参照して、連携状態がＯＮである携帯電話ｂの連携先メールアドレスを取得する。連携判定部ａ２は、連携先メールアドレスを取得すると、機能情報を連携先携帯電話に伝送するための電子メール（以下「モード連携メール」と称する。）の本文を作成する。
【００４２】
また、連携判定部ａ２は、連携先メールアドレスと、モード連携メールの本文と、をメール送信部ａ３に供給して、モード連携処理を終了する。
【００４３】
メール送信部ａ３は、一般的に送信手段と呼ぶことができる。
【００４４】
メール送信部ａ３は、受付部Ａ１にて受け付けられた停止情報を携帯電話ｂに送信する。また、メール送信部ａ３は、設定部Ａ２が通信機能とは異なる所定機能を設定または解除すると、処理情報を携帯電話ｂに送信する。本実施形態では、メール送信部ａ３は、設定部Ａ２が解除情報に示された機能を解除すると、処理情報として解除情報を携帯電話ｂに送信する。
【００４５】
メール送信部ａ３は、連携判定部ａ２からの連携先メールアドレスと、モード連携メールの本文と、に基づいて、モード連携メールを作成する。メール送信部ａ３は、モード連携メールを作成すると、電波によりモード連携メールｃ１を送信する。メール送信部ａ３は、例えば、無線基地局を介して、メールサーバなどの転送装置に電子メールとして、モード連携メールを送信する。
【００４６】
設定部Ａ２は、一般的に設定手段と呼ぶことができる。
【００４７】
設定部Ａ２は、メール送信部ａ３から停止情報が携帯電話ｂに送信された後、メール送信部ａ３の動作を停止する。本実施形態では、設定部Ａ２は、メール送信部ａ３から送信された停止情報を受信した携帯電話ｂから送信される応答情報を受信する。そして、設定部Ａ２は、その応答情報を受信すると、メール送信部ａ３の動作を停止する、
また、設定部Ａ２は、携帯電話ａが有する所定機能を設定または解除可能であり、受付部Ａ１にて処理情報が受け付けられると、その処理情報に応じて所定機能を設定または解除する。設定部Ａ２は、例えば、受信部Ａ１が、処理情報として、解除情報を受け付けると、解除情報に示される機能の解除を行う。
【００４８】
また、設定部Ａ２は、携帯電話ｂから送信された停止情報を受信する。また、設定部Ａ２は、その停止情報を受信すると、メール送信部ａ３の動作を停止する。また、設定部Ａ２は、携帯電話ｂから送信された、通信機能とは異なる所定機能を設定または解除する旨の処理情報を受信する。
【００４９】
モード設定部ａ４は、連携判定部ａ２から解除情報を受け付けると、その解除情報に示される機能制限を解除する。また、モード設定部ａ４は、動作判定部ａ６から設定情報を受け付けると、その設定情報に示される機能制限を設定する。
【００５０】
メール受信部ａ５は、他の携帯電話ｂからの電子メールを受信する。メール受信部ａ５は、応答情報として、携帯電話ｂから送信されたモード応答メールｃ２を受信する。また、メール受信部ａ５は、例えば、停止情報として、携帯電話ｂから送信されたモード連携メールを受信する。メール受信部ａ５は、携帯電話ｂから送信されたメールを受信すると、そのメールを、動作判定部ａ６に供給する。
【００５１】
動作判定部ａ６は、モード応答メール、または、モード連携メールをメール受信部ａ５から受け付けると、情報保持部ａ９の状態情報を、モード連携メール、または、モード応答メールに示された機能の動作状態を示す情報に更新する。
【００５２】
また、動作判定部ａ６は、メール受信部ａ５からモード応答メールを受け付けると、モード応答メール処理を行う。
【００５３】
モード応答メール処理において、動作判定部ａ６は、モード応答メールを受け付けると、モード応答メールの本文に示された機能情報が、設定情報であるか否かを判断する。動作判定部ａ６は、その機能情報が設定情報であると判断すると、その設定情報をモード設定部ａ４に供給する。
【００５４】
また、動作判定部ａ６は、メール連携メールを受け付けると、そのモード連携メールの本文に示された機能情報が、解除情報であるか否かを判断する。動作判定部ａ６は、その機能情報が解除情報であると判断すると、その解除情報を、モード設定部ａ４に供給する。
【００５５】
また、動作判定部ａ６は、情報保持部ａ９を参照して、携帯電話ｂの連携先メールアドレスを取得する。動作判定部ａ６は、連携先メールアドレスを取得すると、例えば、機能情報の内容を連携元に伝送するためのモード応答メールの本文を作成する。また、動作判定部ａ６は、連携先メールアドレスと、モード応答メールの本文と、をメール応答部ａ７に供給する。
【００５６】
また、動作判定部ａ６は、連携先メールアドレスと、モード応答メールの本文と、をメール応答部ａ７に供給した後に、モード連携メールの本文に示された機能情報が、設定情報であるか否かを判断する。動作判定部ａ６は、その機能情報が設定情報であると判断すると、その設定情報を、モード設定部ａ４に供給する。
【００５７】
メール応答部ａ７は、メール受信部ａ５が、機能情報として携帯電話ｂから送信されたモード連携メールを受信すると、応答情報をモード応答メールとして送信する。本実施形態では、メール応答部ａ７が、動作判定部ａ６からの連携先メールアドレスと、モード応答メールの本文と、に基づいて、モード応答メールを作成する。また、メール応答部ａ７は、モード応答メールを作成すると、電波によりモード応答メールを送信する。
【００５８】
状態表示部ａ８は、一般的に表示手段と呼ぶことができる。
【００５９】
状態表示部ａ８は、設定部Ａ２にて応答情報が受信されると、携帯電話ｂの通信機能が停止状態である旨を表示する。また、状態表示部ａ８は、設定部Ａ２にて受信された処理情報に基づいて、携帯電話ｂの所定機能の設定状態または解除状態を表示する。
【００６０】
本実施形態では、状態表示部ａ８は、情報保持部ａ９を参照して、状態情報に示される携帯電話ｂの機能の動作状態を表示する。状態表示部ａ８は、連携先携帯電話の識別名ごとに、電源状態、電波状態およびマナー状態を示す画像を表示する。
【００６１】
図３は、状態表示部ａ８によって表示される状態情報の表示例を示す図である。識別名ａ８１には、情報保持部ａ９に保持された携帯電話ｂの識別名が表示されている。状態表示ａ８２には、情報保持部ａ９に保持されている携帯電話ｂの状態情報が表示されている。
【００６２】
図４は、動作判定部ａ６の構成例を示す図である。図４には、モード設定部ａ４と、メール受信部ａ５と、動作判定部ａ６と、メール応答部ａ７と、情報保持部ａ９と、が示されている。
【００６３】
動作判定部ａ６は、メール種別判定部ａ６１と、連携メール処理部ａ６２と、応答メール処理部ａ６３と、を備える。なお、モード設定部ａ４、メール受信部ａ５、メール応答部ａ７および情報保持部ａ９は、図１に述べたものと同様のものであるため、図４では、詳細な説明を省略する。
【００６４】
メール種別判定部ａ６１は、メール受信部ａ５から受け付けたメールが、モード連携メールであるか、モード応答メールであるかを判定する。メール種別判定部ａ６１は、受け付けたメールが、モード連携メールである場合には、そのモード連携メールを、連携メール処理部ａ６２に供給する。
【００６５】
一方、メール種別判定部ａ６１は、受け付けたメールが、モード応答メールである場合には、そのモード応答メールを、応答メール処理部ａ６３に供給する。また、メール種別判定部ａ６１は、受け付けたメールが、モード応答メールおよびモード連携メールの両者ではないメールである場合には、処理を終了する。
【００６６】
連携メール処理部ａ６２は、メール種別判定部ａ６１からのモード連携メールの本文に示される機能情報を、モード設定部ａ４に供給する。また、連携メール処理部ａ６２は、その機能情報に基づいて、情報保持部ａ９の状態情報ａ９４、ａ９５またはａ９６を更新する。
【００６７】
応答メール処理部ａ６３は、メール種別判定部ａ６１からのモード応答メールの本文に示される応答情報に基づいて、情報保持部ａ９の状態情報ａ９４、ａ９５またはａ９６を更新する。また、応答メール処理部ａ６３は、その応答情報が、設定情報であると判断すると、設定情報の示す機能制限を設定する。
【００６８】
図５は、「マナーモードＯＮ」の機能制限ボタンが押下された場合における携帯電話ａから送信されるモード連携メールｃ１の形式例を示す図である。
【００６９】
あて先ｃ１１には、連携先の携帯電話ｂのメールアドレスが示されている。差出人ｃ１２には、送信元の携帯電話ａのメールアドレスが示されている。サブジェクトｃ１３には、メールの種別が示されており、本実施形態では、モード連携メールｃ１を表わす「モード連携」が示されている。本文ｃ１４には、機能情報として、機能の種類と、機能の設定内容（ＯＮ／ＯＦＦ）と、が示されている。
【００７０】
図６は、携帯電話ｂから、図５に示したモード連携メールｃ１に応答するためのモード応答メールｃ２の形式例を示す図である。
【００７１】
あて先ｃ２１には、連携先の携帯電話ａのメールアドレスが示されている。差出人ｃ２２には、送信元の携帯電話ｂのメールアドレスが示されている。サブジェクトｃ２３には、メールの種別が示され、本実施形態では、モード連携メールｃ２を表わす「モード応答」が示されている。本文ｃ４には、応答情報として、機能の種類と、機能の設定内容（ＯＮ／ＯＦＦ）と、が示されている。
【００７２】
次に、携帯電話ａおよび携帯電話ｂの動作について説明する。
【００７３】
図７は、携帯電話ａにて受け付けられた機能情報に基づいて、携帯電話ａおよびｂが機能情報の示す機能を設定または解除する場合における通信システムの動作概要を示すシーケンスチャートである。
【００７４】
まず、使用者によって携帯電話ａのモード設定ボタンが押下される。携帯電話ａは、モード設定ボタンが押下されると、ボタン押下処理として、携帯電話ｂとの連携の有無の判定と、機能情報に応じた機能設定と、携帯電話ｂへのモード連携メールｃ１の送信と、を行う（ｓ１）。
【００７５】
携帯電話ｂは、モード連携メールｃ１を受信すると、メール判定処理を行い、そのモード連携メールｃ１が、モード連携メールであると判定する（ｓ２）。携帯電話ｂは、そのメールが、モード連携メールであると判定すると、モード連携処理として、携帯電話ａへのモード応答メールｃ２の送信と、モード連携メールに基づく携帯電話ａの状態情報の更新と、その機能情報に基づく機能設定と、を行う（ｓ３）。
【００７６】
携帯電話ａは、モード応答メールｃ２を受信すると、メール判定処理を行い、そのモード応答メールｃ２がモード応答メールであると判定する（ｓ４）。携帯電話ａは、モード応答メールと判定すると、モード応答処理として、モード応答メールに基づく携帯電話ｂの状態情報の更新と、機能情報に応じた機能設定と、を行う（ｓ５）。
【００７７】
図８は、ボタン押下処理ｓ１の処理手順例を示すフローチャートである。
【００７８】
まず、連携判定部ａ２は、モード設定ボタンａ１の設定ボタンが押下されると、その設定ボタンの機能情報が、「マナーモードＯＦＦ」、「電源ＯＮ」や「電波ＯＮ」などの機能制限を設定する旨の解除情報であるか否かを判断する（ステップＦ１１）。
【００７９】
連携判定部ａ２が、その機能情報が、解除情報であると判断した場合には、モード設定部ａ４は、その解除情報の示す機能制限を解除する（ステップＦ１２）。モード設定部ａ４が、制限解除を行うと、連携判定部ａ２は、情報保持部ａ９を参照して、携帯電話ｂの連携状態ａ９２を取得する（ステップＦ１３）。
【００８０】
一方、連携判定部ａ２は、その機能情報が、解除情報でないと判断した場合にも、情報保持部ａ９を参照して、携帯電話ｂの連携状態ａ９２を取得する（ステップＦ１３）。連携判定部ａ２は、連携先携帯電話ｂの連携状態ａ９２を取得すると、連携状態ａ９２が「ＯＮ」であるか否かを判定する（ステップＦ１４）。
【００８１】
連携判定部ａ２は、携帯電話ｂの連携状態が「ＯＦＦ」である場合には、ボタン押下処理を終了する。一方、連携判定部ａ２は、携帯電話ｂの連携状態が「ＯＮ」である場合には、
情報保持部ａ９に保持された携帯電話ｂの連携先メールアドレスａ９３を取得する（ステップＦ１５）。
【００８２】
連携判定部ａ２は、連携先メールアドレスを取得すると、押下された設定ボタンに対応する機能情報を、モード連携メールの本文に変換するメール本文作成処理を実行する（ステップＦ１６）。
【００８３】
メール送信部ａ３は、連携判定部ａ２から、連携先メールアドレスａ９３とモード連携メールの本文とを受け付けると、そのモード連携メールの本文を、連絡先メールアドレスａ９３宛てに送信して（ステップＦ１７）、ボタン押下処理を終了する。
【００８４】
図９は、メール判定処理ｓ２またはｓ４の処理手順例を示すフローチャートである。図９では、携帯電話ａでのメール判定処理として説明する。
【００８５】
まず、メール受信部ａ５は、モード連携メールｃ１またはモード応答メールｃ２を受信すると、そのサブジェクとメールの本文とを取得する（ステップＦ２１）。動作判定部ａ６またはｂ６は、メール受信部ａ５によって取得されたサブジェクトおよび本文に基づいて、その受信されたメールが、モード連携メールであるか否かを判定する（ステップＦ２２）。
【００８６】
動作判定部ａ６は、受信されたメールが、モード連携メールであると判断した場合には、モード連携処理を実行する（ｓ３）。一方、動作判定部ａ６は、受信されたメールが、モード連携メールでないと判断した場合には、そのメールが、モード応答メールであるか否かを判断する（ステップＦ２３）。
【００８７】
動作判定部ａ６は、受信されたメールが、モード応答メールであると判断した場合には、モード応答処理を実行する（ｓ５）。一方、動作判定部ａ６は、受信されたメールが、モード応答メールであると判断した場合には、メール判定処理を終了する。
【００８８】
図１０は、モード連携処理ｓ３の処理手順例を示すフローチャートである。図１０では、携帯電話ａでのモード連携処理として説明する。
【００８９】
まず、動作判定部ａ６は、図９に示したステップＦ２２において、メール受信部ａ５にて受信されたメールが、モード連携メールｃ１であると判断した場合には、モード連携メールに示された機能情報が、解除情報であるか否かを判断する（ステップＦ３１）。
【００９０】
動作判定部ａ６が、その機能情報が解除情報であると判断した場合には、モード設定部ａ４は、その解除情報の示す機能制限を解除する（ステップＦ３２）。モード設定部ａ４が、機能制限の解除を行うと、動作判定部ａ６は、情報保持部ａ９から連携先メールアドレスａ９３を取得する（ステップＦ３３）。
【００９１】
動作判定部ａ６は、連携先メールアドレスａ９３を取得すると、モード連携メールｃ１に示された機能情報を、モード応答メールの本文に変換するメール本文作成処理を実行する（ステップＦ３４）。
【００９２】
メール応答部ａ７は、連携先メールアドレスａ９３と、モード応答メールの本文と、を動作判定部ａ６から受け付けると、そのモード応答メールの本文を、連絡先メールアドレスａ９３宛てに送信する（ステップＦ３５）。
【００９３】
動作判定部ａ６は、モード連携メールｃ１に基づいて、その差出人である携帯電話ａに関する情報保持部ａ９の状態情報ａ９４、９５または９６を、モード連携メールの本文に示された設定内容（動作状態）に更新する（ステップＦ３６）。
【００９４】
動作判定部ａ６は、連携先携帯電話の状態情報を更新すると、モード連携メールの本文に示された機能情報が、設定情報であるか否かを判断する（ステップＦ３７）。
【００９５】
動作判定部ａ６が、その機能情報が設定情報であると判断した場合には、モード設定部ａ４は、その設定情報の示す機能制限を設定して（ステップＦ３７）、モード連携処理を終了する。一方、動作判定部ａ６が、その機能情報が設定情報でないと判断した場合にも、モード連携処理を終了する。
【００９６】
図１１は、モード応答処理ｓ５の処理手順例を示すフローチャートである。図１１では、携帯電話ａでのモード応答処理として説明する。
【００９７】
まず、動作判定部ａ６は、図９に示したステップＦ２３で、メール受信部ａ５にて受信されたメールが、モード応答メールｃ２である場合には、そのモード応答メールｃ２の差出人である携帯電話ｂに関する情報保持部ａ９の状態情報ａ９４、ａ９５またはａ９６を、モード応答メールｃ２の本文に示された機能状態に更新する（ステップＦ５１）。
【００９８】
動作判定部ａ６は、連携先携帯電話の状態情報を更新すると、モード応答メールの本文に示された機能情報が、設定情報であるか否かを判断する（ステップＦ５２）。
【００９９】
動作判定部ａ６が、その機能情報が設定情報であると判断した場合には、モード設定部ａ４は、その設定情報の示す機能制限を設定して（ステップＦ５３）、モード連携処理を終了する。一方、動作判定部ａ６が、その機能情報が設定情報でないと判断した場合にも、モード連携処理を終了する。
【０１００】
なお、状態表示部ａ８は、図７から図１１で説明した動作とは非同期に、情報保持部ａ９を参照して、待ち受け画面の一部に連携先携帯電話の設定状態を表示する。
【０１０１】
図１２は、連携先携帯電話との通信機能が停止されない機能としてマナーモードが設定され場合における携帯電話ａと携帯電話ｂとの連携動作を示すタイミングチャートである。図１２には、使用者の操作と、携帯電話ａおよび携帯電話ｂの動作状態と、が示されている。また、携帯電話ａの状態表示部ａ８には携帯電話ｂの機能の動作状態が、携帯電話ｂの状態表示部ｂ８には携帯電話ａの機能の動作状態が、それぞれ示されている。
【０１０２】
初期状態ｇ１では、機能制限の設定が行われていないため、携帯電話ａおよびｂの双方が制限解除状態であり、状態表示部ａ８およびｂ８には、連携先携帯電話が制限解除状態である旨がそれぞれ示されている。
【０１０３】
状態ｇ２では、使用者が、携帯電話ａの機能制限ボタンを押下すると、携帯電話ａは、モード連携メールを携帯電話ｂに送信する。そして、携帯電話ｂは、携帯電話ａからのモード連携メールを受信すると、そのモード連携メールに基づいて、モード応答メールを携帯電話ａに送信し、携帯電話ａの状態情報を「マナーＯＮ」に更新する。続いて、携帯電話ｂは、自身の機能をマナーモード（マナーＯＮ）に変更する。
【０１０４】
状態ｇ３では、携帯電話ａは、携帯電話ｂから送信されたモード応答メールを受信すると、送信元の携帯電話ｂの状態情報を「マナーＯＮ」に更新して、自身の機能をマナーモード（マナーＯＮ）に変更する。したがって、状態ｇ３では、携帯電話ａおよびｂが機能制限状態となり、状態表示部ａ８およびｂ８には、連携先携帯電話が機能制限状態である旨がそれぞれ表示される。
【０１０５】
次に、状態ｇ４では、使用者が、携帯電話ａの制限解除ボタンを押下すると、携帯電話ａは、機能制限を解除して（マナーＯＦＦ）、モード連携メールを携帯電話ｂに送信する。そして、携帯電話ｂは、携帯電話ａからのモード連携メールを受信すると、そのモード連携メールに基づいて、自身の機能制限を解除する（マナーＯＦＦ）。続いて、携帯電話ｂは、モード応答メールを携帯電話ａに送信し、携帯電話ａの状態情報を「マナーＯＦＦ」に更新する。
【０１０６】
状態ｇ５では、携帯電話ａは、携帯電話ｂから送信されたモード応答メールを受信すると、送信元の携帯電話ｂの状態情報を「マナーＯＮ」に更新する。したがって、状態ｇ５では、携帯電話ａおよびｂが制限解除状態となり、状態表示部ａ８およびｂ８には、連携先携帯電話が制限解除状態である旨がそれぞれ表示される。
【０１０７】
図１３は、連携先携帯電話との通信機能が停止される機能として電波ＯＦＦが設定される場合における携帯電話ａと携帯電話ｂとの連携動作を示すタイミングチャートである。図１３には、使用者の操作と、携帯電話ａおよび携帯電話ｂの動作状態と、が示されている。また、状態表示部ａ８には携帯電話ｂの状態情報が、状態表示部ｂ８には携帯電話ａの状態情報が、それぞれ示されている。
【０１０８】
初期状態ｈ１では、機能制限の設定が行われていないため、携帯電話ａおよびｂの両者が制限解除状態であり、状態表示部ａ８およびｂ８には、制限解除状態がそれぞれ示されている。
【０１０９】
状態ｈ２では、使用者が、携帯電話ａの機能制限ボタンを押下すると、携帯電話ａは、モード連携メールを携帯電話ｂに送信する。そして、携帯電話ｂは、携帯電話ａからのモード連携メールを受信すると、モード連携メールに基づいて、モード応答メールを携帯電話ａに送信し、携帯電話ａの状態情報を「電波ＯＦＦ」に更新する。続いて、携帯電話ｂは、自身の機能を、電波ＯＦＦに設定する。
【０１１０】
状態ｈ３では、携帯電話ａは、携帯電話ｂから送信されたモード応答メールを受信すると、送信元の携帯電話ｂの状態情報を「電波ＯＦＦ」に更新して、自身の機能を電波ＯＦＦに変更する。したがって、状態ｈ３では、携帯電話ａおよびｂが、機能制限状態となり、状態表示部ａ８およびｂ８には、連携先携帯電話が機能制限状態である旨が、それぞれ表示される。
【０１１１】
次に、状態ｈ４では、使用者が、携帯電話ａの制限解除ボタンを押下すると、携帯電話ａは、機能制限を解除して（電波ＯＮ）、モード連携メールを携帯電話ｂに送信する。また、状態ｈ４では、携帯電話ｂは、電波ＯＦＦ状態であるため、携帯電話ａからのモード連携メールを受信することができない。
【０１１２】
したがって、携帯電話ａでは機能制限が解除状態となり、携帯電話ｂでは機能制限が設定状態に維持される。また、状態表示部ａ８およびｂ８では、連携先携帯電話の機能制限が設定状態である旨がそれぞれ表示される。
【０１１３】
状態ｈ５では、使用者が、携帯電話ｂの制限解除ボタンを押下すると、携帯電話ｂは、機能制限を解除して（電波ＯＮ）、モード連携メールを携帯電話ａに送信する。そして、携帯電話ａは、制限解除状態であるため、携帯電話ｂのモード連携メールを受信し、そのモード連携メールに基づいて、携帯電話ｂの状態情報を「電波ＯＮ」に更新する。
【０１１４】
状態ｈ６では、携帯電話ｂは、状態ｈ５において携帯電話ａから予め送信されたモード連携メールを受信すると、モード連携メールに基づいて、携帯電話ａの状態情報を「電波ＯＮ」に更新する。このとき、携帯電話ｂは、既に制限解除状態であるため、機能は変更されない。
【０１１５】
一方、携帯電話ａは、携帯電話ｂからのモード連携メールを受信すると、モード連携メールに基づいて、携帯電話ｂの状態情報を「電波ＯＮ」に更新する。したがって、状態ｈ６では、携帯電話ａおよびｂの両者が制限解除状態となり、状態表示部ａ８およびｂ８には、連携先携帯電話が制限解除状態である旨がそれぞれ表示される。
【０１１６】
本実施形態によれば、受付部Ａ１が、通信先の携帯電話ｂとの通信機能を停止する旨の停止情報を受け付ける。メール送信部ａ３が、受付部Ａ１にて受け付けられた停止情報を携帯電話ｂに送信する。設定部Ａ２が、メール送信部ａ３から停止情報が携帯電話ｂに送信された後、メール送信部ａ３の動作を停止する。
【０１１７】
このため、携帯電話ａは、使用者によって通信機能が停止される制限機能、例えば、電波ＯＦＦや電源ＯＦＦが指定される場合、携帯電話ａ自体の通信機能を停止する前に、確実に、停止情報を携帯電話ｂに送信することができる。よって、携帯電話ｂは、携帯電話ａからの停止情報を受信して、携帯電話ｂ自身の通信機能を停止することができる。
【０１１８】
したがって、使用者は、通信機能が停止される制限機能を携帯電話ａに設定する場合であっても、携帯電話ａおよび携帯電話ｂの両者に同一の制限機能を設定することができる。これにより、携帯電話ｂの制限機能の設定のし忘れを防止することができることから、通信装置の有する機能の設定のし忘れを低減することが可能になる。
【０１１９】
また、本実施形態では、設定部Ａ２は、メール送信部ａ３から送信された停止情報を受信した携帯電話ｂから送信される応答情報を受信し、その応答情報を受信すると、メール送信部ａ３の動作を停止する。これにより、他の携帯電話ｂにて制限機能の設定が行われないと、携帯電話ａの制限機能が設定状態とならないため、使用者は、携帯電話ａの設定状態を確認することによって、通信先の携帯電話が設定状態となったか否かを判断することができる。
【０１２０】
また、本実施形態では、状態表示部ａ８が、設定部Ａ２にて応答情報が受信されると、携帯電話ｂの通信機能が停止状態である旨を表示することによって、使用者に注意喚起を行うことができる。このため、使用者は、同一の機能を設定する携帯電話のうち、未設定状態の携帯電話を把握することができるようになる。
【０１２１】
また、本実施形態では、受付部Ａ１が、通信機能とは異なる所定機能を設定または解除する旨の処理情報を受け付け、設定部Ａ２が、受付部Ａ１にて処理情報が受け付けられると、その処理情報に応じて所定機能を設定または解除する。さらに、メール送信部ａ３は、設定部Ａ２が所定機能を設定または解除した後、その処理情報を携帯電話ｂに送信する。
【０１２２】
これにより、携帯電話ａは、通信機能が停止される通信停止機能と、通信停止機能以外の機能と、を設定する場合において、機能を設定するための機能情報に応じて、その機能情報を携帯電話ｂに送信するタイミングを、機能の設定前と機能の設定後とに切り替えることができる。すなわち、携帯電話ａは、使用者によって指定される機能の種類に応じて、携帯電話ｂに送信する機能情報の送信タイミングを変更することができる。
【０１２３】
また、本実施形態では、設定部Ａ２が、携帯電話ｂからの停止情報を受信すると、メール送信部ａ３の動作を停止する。このため、携帯電話ａは、使用者が他の携帯電話ｂに設定した機能と同一の機能を、携帯電話ａ自体に設定することができる。
【０１２４】
また、本実施形態では、設定部Ａ２が、携帯電話ｂから送信された停止情報を受信すると、状態表示部ａ８が、携帯電話ｂの通信機能が停止状態である旨を表示する。これにより、使用者は、通信停止機能を設定した携帯電話ｂ以外の携帯電話ａの状態表示部ａ８にて、携帯電話ｂに関する通信停止機能の設定状態を確認することができる。このため、通信停止機能が未設定状態である携帯電話を特定することが容易となる。
【０１２５】
また、本実施形態では、設定部Ａ２が、携帯電話ｂからの通信機能とは異なる所定機能を設定または解除する旨の処理情報を受信し、状態表示部ａ８が、設定部Ａ２にて受信された処理情報に基づいて、携帯電話ｂの所定機能の設定状態または解除状態を表示する。このため、携帯電話ａが、携帯電話ｂに関する通信停止機能以外の所定機能の設定状態または解除状態を表示することによって、使用者は、所定機能についても、設定状態を把握することができることから、機能設定のし忘れを低減することができる。
【０１２６】
また、本実施形態では、メール送信部ａ３が、電子メールにより、基地局を介してメールサーバに処理情報を送信する。これにより、電波ＯＦＦまたは電源ＯＦＦが設定されて通信機能が停止状態にある携帯電話ｂが、制限解除により通信可能状態となった際には、携帯電話ｂは、メールサーバから処理情報が再送されるため、確実に携帯電話ａからの処理情報を受信することができる。よって、携帯電話ｂは、携帯電話ａに設定される機能と同一の機能を確実に設定することができる。
【０１２７】
また、使用者によって電波ＯＮまたは電源ＯＮが設定される場合、携帯電話ａは、自身の機能を設定した後、電子メールで処理情報を、携帯電話ｂに送信する。これにより、携帯電話ｂは、使用者による電源ＯＮまたは電波ＯＮの設定後に、携帯電話ａから処理情報を受信することができる。このため、携帯電話ｂは、携帯電話ａの設定状態を状態表示部ｂ８に表示することができる。
【０１２８】
なお、本実施形態では、携帯電話ａおよびｂが、状態表示部ａ８およびｂ８を有する例について説明したが、状態表示部ａ８およびｂ８を有しない構成にしてもよい。この場合においても、通信機能を停止する旨を示す停止情報を通信先装置に送信することができるため、使用者の設定のし忘れを防止することができる。
【０１２９】
なお、本実施形態では、携帯電話ａおよびｂの２台での機能設定の例について説明したが、３台以上の携帯電話同士でも、機能設定の連携を行うようにしてもよい。ここで、３台の携帯電話により機能設定の連携を行う例について以下に説明する。
【０１３０】
図１４は、携帯電話ａが、携帯電話ｂおよびｃと機能設定の連携を行う場合における状態表示部ａ８の表示例を示す図である。状態表示部ａ８は、図３に示した携帯電話ｂの状態情報に加えて、携帯電話ｃの状態情報を表示する。
【０１３１】
図１５は、携帯電話ａが、携帯電話ｂおよびｃと機能設定の連携を行う場合における情報保持部ａ９の連携情報の一例を示す図である。情報保持部ａ９には、図２に示した携帯電話ｂの連携情報に加えて、携帯電話ｃの連携情報が保持される。
【０１３２】
図１６は、携帯電話ａが、携帯電話ｂおよびｃと機能設定の連携を行う場合における携帯電話ａ、ｂおよびｃの動作の概要を示すシーケンスチャートである。図１６では、モード連携メールおよびモード応答メールが、携帯電話の各情報保持部に登録されている全ての携帯電話に送信される。また、図１６では、図７に示したモード連携処理ｓ３およびモード応答処理ｓ５に代えて、モード連携処理ｓ６およびモード応答処理ｓ７が行われる。
【０１３３】
図１７は、モード連携処理ｓ６の処理手順例を示すフローチャートである。
【０１３４】
図１７には、図１０に示したモード連携処理ｓ３に加えて、ステップＦ６１が示されている。このため、ステップＦ６１の処理についてのみ説明する。
【０１３５】
ステップＦ３６において、動作判定部が、モード連携メールに基づいて、情報保持部の状態情報を更新すると、動作判定部は、情報保持部に保持されている全ての携帯電話の状態情報が同一であるか否かを判断する（ステップＦ６１）。
【０１３６】
動作判定部は、全ての携帯電話の状態情報が同一である場合には、モード連携メールの本文に示された機能情報が、設定情報であるか否かを判断する（ステップＦ３７）。一方、動作判定部は、全ての携帯電話の状態情報が同一でない場合には、モード連携処理ｓ６を終了する。
【０１３７】
図１８は、モード応答処理ｓ７の処理手順例を示すフローチャートである。
【０１３８】
図１８には、図１１に示したモード応答処理ｓ５に加えて、ステップＦ７１が示されている。このため、ステップＦ７１の処理についてのみ説明する。図１８では、携帯電話ａのモード応答処理として説明する。
【０１３９】
ステップＦ５１において、動作判定部ａ６が、モード応答メールに基づいて、情報保持部ａ９の状態情報を更新すると、動作判定部ａ６は、情報保持部に保持されている全ての携帯電話の状態情報が同一であるか否かを判断する（ステップＦ７１）。
【０１４０】
動作判定部ａ６は、全ての携帯電話の状態情報が同一である場合には、モード応答メールの本文に示された機能情報が、設定情報であるか否かを判断する（ステップＦ５２）。一方、動作判定部は、全ての携帯電話の状態情報が同一でない場合には、モード応答処理ｓ７を終了する。
【０１４１】
図１９は、マナーモードが設定される場合における携帯電話ａ、ｂおよびｃの連携動作を示すタイミングチャートである。
【０１４２】
図１９には、使用者の操作と、携帯電話ａ、ｂおよびｃの動作状態と、が示されている。また、携帯電話ａの状態表示部ａ８には携帯電話ｂおよびｃの設定状態が、携帯電話ｂの状態表示部ｂ８には携帯電話ａおよびｃの設定状態が、携帯電話ｃの状態表示部ｃ８には携帯電話ａおよびｂの設定状態が、それぞれ示されている。
【０１４３】
初期状態ｉ１では、機能制限の設定が行われていないため、全ての携帯電話ａ、ｂおよびｃが制限解除状態であり、状態表示部ａ８およびｂ８には、制限解除状態が示されている。
【０１４４】
状態ｉ２では、使用者が、機能制限ボタンを押下すると、携帯電話ａが、モード連携メールを携帯電話ｂおよびｃに送信する。そして、携帯電話ｂおよびｃの各々は、携帯電話ａからのモード連携メールを受信すると、そのモード連携メールに基づいて、モード応答メールを携帯電話ａに送信し、携帯電話ａの状態情報を「マナーＯＮ」に更新する。ただし、状態ｉ２では、全ての携帯電話ａ、ｂおよびｃにおいて連携が完了していないため、携帯電話ｂおよびｃの各々は、自身の機能をマナーモード（マナーＯＮ）に変更しない。
【０１４５】
状態ｉ３では、携帯電話ｂは、携帯電話ａおよびｃにモード応答メールを送信する。携帯電話ａおよびｃの各々は、携帯電話ｂからのモード応答メールを受信すると、携帯電話ｂの状態情報を「マナーＯＮ」に更新する。また、携帯電話ｃは、連携先携帯電話の全てが同一の動作状態となり、連携が完了するため、自身の機能をマナーモード（マナーＯＮ）に変更する。
【０１４６】
状態ｉ４では、携帯電話ａおよびｂの各々は、携帯電話ｃから送信されたそれぞれのモード応答メールを受信すると、携帯電話ｃの状態情報を「マナーＯＮ」に更新する。また、携帯電話ａおよびｃの各々は、連携が完了するため、自身の機能をマナーモード（マナーＯＮ）に変更する。したがって、状態ｉ４では、携帯電話ａ、ｂおよびｃが機能制限状態となり、状態表示部ａ８、ｂ８およびｃ８には、連携先携帯電話が機能制限状態である旨が、それぞれ表示される。
【０１４７】
次に、状態ｉ５では、使用者が、制限解除ボタンを押下すると、携帯電話ａは、自身の機能制限の解除（マナーＯＦＦ）を行い、モード連携メールを、携帯電話ｂおよびｃに送信する。そして、携帯電話ｂおよびｃの各々は、携帯電話ａからのモード連携メールを受信すると、モード連携メールに基づいて、自身の機能制限を解除し（マナーＯＦＦ）、携帯電話ａの状態情報を「マナーＯＦＦ」に更新する。
【０１４８】
状態ｉ６では、携帯電話ｂは、モード応答メールを携帯電話ａおよびｃに送信する。携帯電話ａおよびｃの各々は、携帯電話ｂからのモード応答メールを受信すると、携帯電話ｂの状態情報を「マナーＯＦＦ」に更新する。
【０１４９】
状態ｉ７では、携帯電話ｃは、モード応答メールを携帯電話ａおよびｂに送信する。携帯電話ａおよびｂの各々は、携帯電話ｃからのモード応答メールを受信すると、携帯電話ｃの状態情報を「マナーＯＦＦ」に更新する。したがって、状態ｉ７では、携帯電話ａ、ｂおよびｃが、制限解除状態となり、状態表示部ａ８、ｂ８およびｃ８の各々には、全ての連携先携帯電話が制限解除状態である旨が表示される。
【０１５０】
図２０は、電波ＯＦＦが設定される場合における携帯電話ａ、ｂおよびｃの連携動作を示すタイミングチャートである。図２０には、使用者の操作と、携帯電話ａ、ｂおよびｃの動作状態と、が示されている。また、状態表示部ａ８には携帯電話ｂおよびｃの状態情報が、状態表示部ｂ８には携帯電話ａおよびｃの状態情報が、状態表示部ｃ８には携帯電話ａおよびｂの状態情報が、それぞれ示されている。
【０１５１】
初期状態ｊ１では、機能制限の設定が行われていないため、携帯電話ａ、ｂおよびｃが制限解除状態であり、状態表示部ａ８、ｂ８およびｃ８には、連携先携帯電話が制限解除状態である旨が、それぞれ表示される。
【０１５２】
状態ｊ２では、使用者が、携帯電話ａの機能制限ボタンを押下すると、携帯電話ａが、モード連携メールを携帯電話ｂおよびｃに送信する。そして、携帯電話ｂおよびｃの各々は、携帯電話ａからのモード連携メールを受信すると、そのモード連携メールに基づいて、携帯電話ａの状態情報を「電波ＯＦＦ」に更新する。ただし、状態ｊ２では、全ての携帯電話ａ、ｂおよびｃにおいて連携が完了していないため、携帯電話ｂおよびｃの各々は、自身の機能を電波ＯＦＦの設定に変更しない。
【０１５３】
状態ｊ３では、携帯電話ｂは、携帯電話ａおよびｃにモード応答メールを送信する。携帯電話ａおよびｃの各々は、携帯電話ｂからのモード応答メールを受信すると、携帯電話ｂの状態情報を「電波ＯＦＦ」に更新する。また、携帯電話ｃは、連携先携帯電話の全てが同一の設定状態となり、連携が完了するため、自身の機能を電波ＯＦＦに変更する。
【０１５４】
状態ｊ４では、携帯電話ａおよびｂの各々は、携帯電話ｃから送信されたそれぞれのモード応答メールを受信すると、携帯電話ｃの状態情報を「電波ＯＦＦ」に更新する。また、携帯電話ａおよびｃの各々は、連携が完了するため、自身の機能を電波ＯＦＦに変更する。したがって、状態ｊ４では、携帯電話ａ、ｂおよびｃが機能制限状態となり、状態表示部ａ８、ｂ８およびｃ８には、連携先携帯電話が機能制限状態である旨がそれぞれ表示される。
【０１５５】
次に、状態ｊ５では、使用者が、携帯電話ａの制限解除ボタンを押下すると、携帯電話ａは、自身の機能制限を解除し（電波ＯＦＦ）、モード連携メールを、携帯電話ｂおよびｃに送信する。この時点では、携帯電話ｂおよびｃの各々は、機能制限（電波ＯＦＦ）状態にあるため、携帯電話ａからのモード連携メールを受信することができない。したがって、携帯電話ａは、制限解除状態であり、携帯電話ｂおよびｃは、機能制限状態である。また、状態表示部ａ８には、携帯電話ｂおよびｃが機能制限状態である旨が表示され、状態表示部ｂ８およびｃ８の各々には、携帯電話ａが機能制限状態である旨が表示される。
【０１５６】
状態ｊ６では、使用者が、携帯電話ｂの制限解除ボタンを押下すると、携帯電話ｂは、自身の機能制限の解除（電波ＯＦＦ）を行い、モード連携メールを、携帯電話ａおよびｃに送信する。この時点では、携帯電話ａは、制限解除（電波ＯＮ）状態にあるため、携帯電話ｂからのモード連携メールを受信し、そのモード連携メールに基づいて、携帯電話ｂの状態情報を「電波ＯＮ」に更新する。一方、携帯電話ｃは、機能制限（電波ＯＦＦ）状態にあるため、携帯電話ｂからのモード連携メールを受信することができない。
【０１５７】
したがって、携帯電話ａおよびｂは、制限解除状態であり、携帯電話ｃは、機能制限状態である。また、状態表示部ａ８には、携帯電話ｂが制限解除状態であり、携帯電話ｃが機能制限状態である旨が表示され、状態表示部ｂ８には、携帯電話ａおよびｃが機能制限状態である旨が表示され、状態表示部ｃ８には、携帯電話ａおよびｂが機能制限状態である旨が表示される。
【０１５８】
状態ｊ７では、携帯電話ｂは、携帯電話ａからのモード応答メールを受信し、そのモード応答メールに基づいて、携帯電話ａの状態情報を「電波ＯＮ」に更新する。
【０１５９】
状態ｊ８では、使用者が、携帯電話ｃの制限解除ボタンを押下すると、携帯電話ｃが、自身の機能制限を解除し（電波ＯＦＦ）、モード連携メールを、携帯電話ａおよびｂに送信する。この時点では、携帯電話ａおよびｂは、制限解除（電波ＯＮ）状態にあるため、携帯電話ｃからのモード連携メールをそれぞれ受信し、そのモード連携メールに基づいて、携帯電話ｃの状態情報を「電波ＯＮ」に更新する。
【０１６０】
状態ｊ９では、携帯電話ｃは、携帯電話ａおよびｂからそれぞれ送信されたモード連携メールを受信するため、これらのモード連携メールに基づいて、携帯電話ａおよびｂの状態情報を「電波ＯＦＦ」に更新する。したがって、状態ｊ９では、携帯電話ａ、ｂおよびｃが、制限解除状態となり、状態表示部ａ８、ｂ８およびｃ８の各々には、全ての連携先携帯電話が制限解除状態である旨が表示される。
【０１６１】
以上説明した実施形態において、図示した構成は単なる一例であって、本発明はその構成に限定されるものではない。
【符号の説明】
【０１６２】
ａ、ｂ、ｃ  携帯電話
Ａ１、Ｂ１  受付部
Ａ２、Ｂ２  設定部
ａ１、ｂ１  モード設定ボタン
ａ２、ｂ２  連携判定部
ａ３、ｂ３  メール送信部
ａ４、ｂ４  モード設定部
ａ５、ｂ５  メール受信部
ａ６、ｂ６  動作判定部
ａ７、ｂ７  メール応答部
ａ８、ｂ８  状態表示部
ａ９、ｂ９  情報保持部
【図１】
2011151585.tif 000003
【図２】
2011151585.tif 000004
【図３】
2011151585.tif 000005
【図４】
2011151585.tif 000006
【図５】
2011151585.tif 000007
【図６】
2011151585.tif 000008
【図７】
2011151585.tif 000009
【図８】
2011151585.tif 000010
【図９】
2011151585.tif 000011
【図１０】
2011151585.tif 000012
【図１１】
2011151585.tif 000013
【図１２】
2011151585.tif 000014
【図１３】
2011151585.tif 000015
【図１４】
2011151585.tif 000016
【図１５】
2011151585.tif 000017
【図１６】
2011151585.tif 000018
【図１７】
2011151585.tif 000019
【図１８】
2011151585.tif 000020
【図１９】
2011151585.tif 000021
【図２０】
2011151585.tif 000022